(57)【要約】      （修正有）【課題】泡立てられた洗顔液を、顔面をなんらこすることなく顔面に塗布できるエアノズルを提供する。【解決手段】ノズル本体１が、洗顔液が貯溜される貯溜部１２と、先端部に位置されて貯溜部１２からの洗顔液が導かれるノズル部１１と、エア圧発生源に接続されると共にノズル部１の周縁部からエアを噴射させるエア噴射口と、を備えている。ノズル本体１の先端部に、フィルタと膨張室とを有する泡立てノズル５１が取付けられる。エア噴射口３５ａから噴射されるエアによるベンチュリ効果によってノズル部１１から洗顔液を吸引して、エアと洗顔液との混合物が、泡立てノズル５１を通過することによりクリーム状となって吐出される。【選択図】図１
0003159019.tif 000002
【実用新案登録請求の範囲】
【請求項１】
洗顔液が貯溜される貯溜部と、先端部に位置されて該貯溜部からの洗顔液が導かれるノズル部と、エア圧発生源に接続されると共に該ノズル部の周縁部からエアを噴射させるエア噴射口と、を備えたノズル本体と、
前記ノズル本体の先端部に設けられ、フィルタと膨張室とを有する泡立てノズルと、
を有し、
前記エア噴射口から噴射されるエアによるベンチュリ効果によって前記ノズル部から洗顔液を吸引して、エアと洗顔液との混合物が前記泡立てノズル内に噴射されて、前記泡立てノズル内に噴射された前記エアと洗顔液との混合物が前記フィルタと膨張室とを通過することにより、洗顔液がクリーム状となって前記泡立てノズルの先端から吐出される、
ことを特徴とするエアノズル。
【請求項２】
請求項１において、
前記ノズル本体が、前記ノズル部の開口面積を閉状態から全開状態に渡る範囲でもって変更するための操作部を有している、ことを特徴とするエアノズル。
【請求項３】
請求項１または請求項２において、
前記泡立てノズルは、前記フィルタと前記膨張室とを複数段有している、ことを特徴とするエアノズル。
【請求項４】
請求項３において、
前記泡立てノズルは、もっとも先端側のフィルタよりもさらに先端側に前記膨張室を有している、ことを特徴とするエアノズル。
【請求項５】
請求項１ないし請求項４のいずれか１項において、
前記泡立てノズルは、軸方向に分割構成とされた複数のノズル構成部材を互いに結合することにより構成され、
前記フィルタが、隣り合う前記ノズル構成部材の間に挟持されている、
ことを特徴とするエアノズル。
【請求項６】
請求項１ないし請求項５のいずれか１項において、
泡立て機能を有しない噴霧用ノズルをさらに有し、
前記泡立てノズルと噴霧用ノズルとがそれぞれ、前記ノズル本体に対して着脱自在とされ、
前記貯溜部に洗顔液を貯溜すると共に前記泡立てノズルを前記ノズル本体に取付けることにより泡立て洗顔液の塗布用として使用される一方、該貯溜部に化粧液を貯溜すると共に前記噴霧用ノズルを前記ノズル本体に取付けることにより化粧液の噴霧用として使用される、
ことを特徴とするエアノズル。
【請求項７】
請求項１ないし請求項６のいずれか１項において、
前記ノズル部は、弁筒部材と、該弁筒部材内に挿入された先細状のニードル弁と、を備えて、該ニードル弁の変位に応じて該ノズル部の開口面積が変更され、
前記ノズル本体内には、前記ノズル部が閉状態となるように前記ニードル弁を先端側に向けて付勢するスプリングが設けられ、
前記操作部は、前記スプリングに抗して前記ニードル弁を後退変位させることによって前記ノズル部の開口面積が大きくされる、
ことを特徴とするエアノズル。
【請求項８】
液体が貯溜される貯溜部と、先端部に位置されて該貯溜部からの液体が導かれるノズル部と、該ノズル部の開口面積を閉状態から全開状態に渡る範囲でもって変更するための操作部と、エア圧発生源に接続されると共に該ノズル部の周縁部からエアを噴射させるエア噴射口と、を備えたノズル本体と、
前記ノズル本体の先端部に着脱自在とされ、フィルタと膨張室とを有する泡立てノズルと、
前記ノズル本体の先端部に着脱自在とされ、泡立て機能を有しない噴霧用ノズルと、
を有し、
前記泡立てノズルを前記ノズル本体に取付けかつ前記貯溜部に洗顔液を貯溜した状態においては、前記エア噴射口から噴射されるエアによるベンチュリ効果によって前記ノズル部から洗顔液を吸引してエアと洗顔液との混合物が前記泡立てノズル内に噴射されて、該泡立てノズル内に噴射された前記エアと洗顔液との混合物が前記フィルタと膨張室とを通過することにより、洗顔液がクリーム状として前記泡立てノズルの先端から吐出される洗顔用とされ、
前記噴霧用ノズルを前記ノズル本体に取付けかつ前記貯溜部に化粧液を貯溜した状態においては、前記エア噴射口から噴射されるエアによるベンチュリ効果によって前記ノズル部から化粧液を吸引して、エアと化粧液との混合物が前記噴霧用ノズル内を通して噴霧される化粧液の噴霧用とされる、
ことを特徴とするエアノズル。
【請求項９】
請求項８において、
前記泡立てノズルは、前記フィルタと膨張室とを複数段有すると共に、もっとも先端側のフィルタよりもさらに先端側に膨張室がされ、
前記ノズル部は、弁筒と、該弁筒内に挿入された先細状のニードル弁と、を備えて、前記操作部の操作による該ニードル弁の変位に応じて該ノズル部の開口面積が変更され、
前記ノズル本体内には、前記ノズル部が閉弁状態となるように前記ニードル弁を先端側に向けて付勢するスプリングが設けられ、
前記操作部は、前記スプリングに抗して前記ニードル弁を後退変位させることによる前記ノズル部が開弁される、
ことを特徴とするエアノズル。
【考案の詳細な説明】
【技術分野】
【０００１】
本考案は、洗顔液をクリーム状にして顔面に塗布できるようにしたエアノズルに関するものである。
【背景技術】
【０００２】
化粧用具の一種として、エアを利用して化粧液を顔面に噴霧するエアノズルが知られている。このエアノズルは、そのノズル本体に、化粧液を貯溜する貯溜部と、ノズル本体の先端部に形成されて該貯溜部に連なるニードル弁式のノズル部と、ニードル弁を操作する操作部と、エア圧発生源に接続されると共にノズル部の周縁部に開口されたエア噴射口と、を有する。このようなエアノズルは、片方の手指で把持されて、ノズル部を顔面に向けて使用されることになる。すなわち、エア噴射口から噴射されるエアのベンチュリ効果によって、ノズル部から化粧液が吸引されて、エアと化粧液との混合物が顔面に噴射（噴霧）されることになる。そして、化粧液の量は、操作部を操作してノズル部の開口面積を変更することにより行われる。
【０００３】
エアノズルの一種として、化粧分野のものとは大きく相違するが、特許文献１に示すようなものもある。この特許文献１に記載のものは、弾性部材（タイヤ）を鋼材（ホイール）に対して嵌合させる際に塗布される減摩液が、必要以上に塗布されないようかつ均一に塗布されるように意図したものである。具体的には、ノズル部に減摩液を貯溜したタンクを接続する一方、ベンチュリ効果によってノズル部から減摩液を吸引するためのエア噴射口を有し、さらに噴射された減摩液とエアとの混合物を泡立てるために、オリフィスと膨張室とを有する泡立てノズルをノズル部の先端部に設けたものとなっている。なお、特許文献１に記載のものでは、エアのエア通路の開口面積を操作部の操作によって変更するようになっている。
【先行技術文献】
【特許文献】
【０００４】
【特許文献１】特開平８−２４７４６号公報
【考案の概要】
【考案が解決しようとする課題】
【０００５】
ところで、洗顔に際しては、液体あるいは固形の洗顔剤を泡立てスポンジ等を用いて泡立てて、この泡立てた洗顔剤によって洗顔を行うようにしている。具体的には、洗顔剤が付着された泡立てスポンジ等を手指によって揉むことにより洗顔剤を泡状として、手指に付着した泡状の洗顔剤を手指によって顔面に塗布し、その後泡状洗顔剤を軽く押しつけるようにしつつ手指を回転させて洗浄作業を行ない、その後軽く湯水ですすぐ洗い方が一般的に行われている。このような泡状の洗顔剤を用いた洗顔に際しては、手指で直接極力顔面をこすらないようにすることが、肌荒れ防止やシミやそばかすを防止する観点から重要となる。
【０００６】
しかしながら、洗顔剤を泡立てる際には泡立てスポンジ等を手指でもむ等の必要があるため、面倒であるのは勿論のこと、泡だった洗顔剤が少なからず潰れてしまって薄い泡の層にしかならず、このため、手指に付着している泡だった洗顔剤を顔面に塗布するときに少なからず手指で直接顔面をこすってしまうことになり、その後、泡状の洗顔剤を軽く押しつけるようにしつつ回転させる際にも手指で直接顔面をこすってしまうことになる。また、泡立てられた洗顔剤は、少なからず指の間に付着してしまうことになるが、指の間に付着した洗顔剤は洗顔には有効に利用されず、無駄になっていた。
【０００７】
本考案は以上のような事情を勘案してなされたもので、その目的は、洗顔液を簡単かつクリーム状として厚く泡立てることができ、しかも洗顔液を無駄なく使用できるようにしたエアノズルを提供することにある。
【課題を解決するための手段】
【０００８】
前記目的を達成するため、本考案にあっては次のような第１の解決手法を採択してある。すなわち、実用新案登録請求の範囲における請求項１に記載のように、
洗顔液が貯溜される貯溜部と、先端部に位置されて該貯溜部からの洗顔液が導かれるノズル部と、エア圧発生源に接続されると共に該ノズル部の周縁部からエアを噴射させるエア噴射口と、を備えたノズル本体と、
前記ノズル本体の先端部に設けられ、フィルタと膨張室とを有する泡立てノズルと、
を有し、
前記エア噴射口から噴射されるエアによるベンチュリ効果によって前記ノズル部から洗顔液を吸引して、エアと洗顔液との混合物が前記泡立てノズル内に噴射されて、前記泡立てノズル内に噴射された前記エアと洗顔液との混合物が前記フィルタと膨張室とを通過することにより、洗顔液がクリーム状となって前記泡立てノズルの先端から吐出される、
ようにしてある。
【０００９】
上記解決手法によれば、泡立てノズルを顔面に近づけた状態で、ノズル部から洗顔液を吐出させるだけで、泡立てノズルの先端から吐出されるクリーム状の洗顔液（きめ細かくかつ厚い状態となった洗顔液の泡の層）を顔面に直接塗布することができる。また、吐出されるクリーム状の洗顔液を一旦手のひらにとって顔面に塗布することができる。クリーム状の洗顔液を一旦手のひらにとって顔面に塗布するときでも、洗顔液はクリーム状のかたまりとなっているので、泡状の洗顔液を顔面に塗布するに際して手指が直接顔面をこすってしまうことが防止あるいは抑制されることになり、また手のひらに集中してクリーム状の洗顔液が付着されたままになるので、洗顔液を無駄なく洗顔用として使用できる。さらに、手指でクリーム状の洗顔液をおしつけつつ回転させる操作を行うときにも、手指と顔面との間には十分な厚さのクリーム状の洗顔液が介在されるので、顔面を手指で直接こすってしまう事態が防止あるいは抑制されることになる。勿論、クリーム状に泡立てる作業も極めて簡単である。
【００１０】
上記第１の解決手法を前提とした好ましい態様は、特許請求の範囲における請求項２〜請求項７に記載のとおりである。すなわち、
前記ノズル本体が、前記ノズル部の開口面積を閉状態から全開状態に渡る範囲でもって変更するための操作部を有している、ようにしてある（請求項２対応）。この場合、クリーム状の洗顔液の保形性に影響する密度を調整することができ、また閉状態にすることにより洗顔液の吐出を容易かつ即座に停止させて、洗顔液を無駄に吐出させてしまう事態をより確実に防止することができる。
【００１１】
前記泡立てノズルは、前記フィルタと前記膨張室とを複数段有している、ようにしてある（請求項３対応）。この場合、確実に洗顔液をクリーム状に泡立てることができる。
【００１２】
前記泡立てノズルは、もっとも先端側のフィルタよりもさらに先端側に前記膨張室を有している、ようにしてある（請求項４対応）。この場合、泡立てノズルの先端方向に向けて、クリーム状の洗顔液を確実に吐出することができる。すなわち、泡立てノズルの径方向にクリーム状の洗顔液が不必要に大きく広がりすぎてしまうことを防止する上で好ましいものとなる。
【００１３】
前記泡立てノズルは、軸方向に分割構成とされた複数のノズル構成部材を互いに結合することにより構成され、
前記フィルタが、隣り合う前記ノズル構成部材の間に挟持されている、
ようにしてある（請求項５対応）。この場合、複数のノズル構成部材の結合を利用して、フィルタを所望位置に確実に固定することができる。
【００１４】
泡立て機能を有しない噴霧用ノズルをさらに有し、
前記泡立てノズルと噴霧用ノズルとがそれぞれ、前記ノズル本体に対して着脱自在とされ、
前記貯溜部に洗顔液を貯溜すると共に前記泡立てノズルを前記ノズル本体に取付けることにより泡立て洗顔液の塗布用として使用される一方、該貯溜部に化粧液を貯溜すると共に前記噴霧用ノズルを前記ノズル本体に取付けることにより化粧液の噴霧用として使用される、
ようにしてある（請求項６対応）。この場合、化粧液の噴霧用とクリーム状の洗顔液の塗布用とを兼用することができる。
【００１５】
前記ノズル部は、弁筒部材と、該弁筒部材内に挿入された先細状のニードル弁と、を備えて、該ニードル弁の変位に応じて該ノズル部の開口面積が変更され、
前記ノズル本体内には、前記ノズル部が閉状態となるように前記ニードル弁を先端側に向けて付勢するスプリングが設けられ、
前記操作部は、前記スプリングに抗して前記ニードル弁を後退変位させることによって前記ノズル部の開口面積が大きくされる、
ようにしてある（請求項７対応）。この場合、ノズル部をニードル弁式としつつ、操作部を操作しないときに洗顔液が無駄に吐出されてしまうのを防止することができる。
【００１６】
前記目的を達成するため、本考案にあっては次のような第２の解決手法を採択してある。すなわち、実用新案登録請求の範囲における請求項８に記載のように、
液体が貯溜される貯溜部と、先端部に位置されて該貯溜部からの液体が導かれるノズル部と、該ノズル部の開口面積を閉状態から全開状態に渡る範囲でもって変更するための操作部と、エア圧発生源に接続されると共に該ノズル部の周縁部からエアを噴射させるエア噴射口と、を備えたノズル本体と、
前記ノズル本体の先端部に着脱自在とされ、フィルタと膨張室とを有する泡立てノズルと、
前記ノズル本体の先端部に着脱自在とされ、泡立て機能を有しない噴霧用ノズルと、
を有し、
前記泡立てノズルを前記ノズル本体に取付けかつ前記貯溜部に洗顔液を貯溜した状態においては、前記エア噴射口から噴射されるエアによるベンチュリ効果によって前記ノズル部から洗顔液を吸引してエアと洗顔液との混合物が前記泡立てノズル内に噴射されて、該泡立てノズル内に噴射された前記エアと洗顔液との混合物が前記フィルタと膨張室とを通過することにより、洗顔液がクリーム状として前記泡立てノズルの先端から吐出される洗顔用とされ、
前記噴霧用ノズルを前記ノズル本体に取付けかつ前記貯溜部に化粧液を貯溜した状態においては、前記エア噴射口から噴射されるエアによるベンチュリ効果によって前記ノズル部から化粧液を吸引して、エアと化粧液との混合物が前記噴霧用ノズル内を通して噴霧される化粧液の噴霧用とされる、
ようにしてある。上記第２の解決手法によれば、請求項１、請求項２および請求項６に対応した効果を得ることができる。
【００１７】
前記第２の解決手法を前提とした好ましい態様は、実用新案登録請求の範囲における請求項９に記載のとおりである。すなわち、
前記泡立てノズルは、前記フィルタと膨張室とを複数段有すると共に、もっとも先端側のフィルタよりもさらに先端側に膨張室がされ、
前記ノズル部は、弁筒と、該弁筒内に挿入された先細状のニードル弁と、を備えて、前記操作部の操作による該ニードル弁の変位に応じて該ノズル部の開口面積が変更され、
前記ノズル本体内には、前記ノズル部が閉弁状態となるように前記ニードル弁を先端側に向けて付勢するスプリングが設けられ、
前記操作部は、前記スプリングに抗して前記ニードル弁を後退変位させることによる前記ノズル部が開弁される、
ようにしてある（請求項９対応）。この場合、請求項３，請求項４および請求項７に対応した効果を得ることができる。
【考案の効果】
【００１８】
本考案によれば、洗顔液をクリーム状に吐出できるので、洗顔に際して手指によって直接顔面をこすってしまう事態を防止あるいは抑制する上で好ましいものとなる。また、洗顔液を無駄なく洗顔用として使用することができ、しかも洗顔液をクリーム状に生成する作業も容易である。
【図面の簡単な説明】
【００１９】
【図１】本考案が適用されたエアノズルの一例を、エア圧発生源と共に示す全体図。
【図２】ノズル部の詳細を示す要部拡大断面図。
【図３】泡立てノズルを使用したときのノズル部付近を示す要部拡大断面図。
【図４】噴霧用ノズルを使用したときのノズル部付近を示す要部拡大断面図。
【図５】泡立てノズルを使用して、顔面にクリーム状の洗顔液を直接  塗布する様子を示す図。
【考案を実施するための形態】
【００２０】
図１において、エアノズルＡは、ノズル本体１を有する。このノズル本体１は、前側構成部材１Ａと後側構成部材１Ｂとの分割構成とされて、全体的に手指で把持できるように細長く形成されている。前側構成部材１Ａは例えば金属によって前後に開口された筒状に形成され、後側構成部材１Ｂは例えば合成樹脂によって後端が閉じられた筒状に形成されている。そして、前側構成部材１Ａの後端部に後側構成部材１Ｂの前端部を螺合することにより、前側構成部材１Ａと後側構成部材１Ｂとが着脱自在に結合されている。
【００２１】
ノズル本体１は、ノズル部１１と、貯溜部１２と、操作部１３と、エア接続部１４と、を有する。ノズル部１１は、ノズル本体１の先端部に構成されている。具体的には、図２に示すように、細長い筒状の弁筒部材２１と、弁筒部材２１内に軸方向に変位可能に位置された長いニードル弁２２とを有する。弁筒部材２１はノズル本体１に固定され、ニードル弁２２は先端部が徐々に先細となるように形成されている。ニードル弁２２がもっとも前方（図１，図２左方）に位置したときは、弁筒部材２２（つまりノズル部１）の先端を閉じる閉弁状態とされる。この閉弁状態からニードル弁２２を後方（図１、図２右方）へ変位させると、弁筒部材２１の先端が開口され、その開口面積は、ニードル弁２２の後方への変量が大きくなるほど大きくされる。
【００２２】
図１に示すように、ニードル弁２２は、その途中に大径部２２ａを有する。この大径部２２ａの後方において、ノズル本体１内には環状のストッパ部材２３が螺合によって固定されている。このストッパ部材２３と大径部２２ａとの間には、ニードル弁２２を取り巻く用に配設されたコイルスプリングからなるリターンスプリング２４が配設されて、ニードル弁２２は常時前方に向けて付勢されている（ノズル部１が閉弁される方向へ付勢されている）。なお、ニードル弁２２は、環状のストッパ部材を２３および操作部１３（に形成された貫通孔）を摺動可能に貫通している。
【００２３】
貯溜部１２は、図２に示すように、化粧液（例えばファンデーション用やアイシャドウ用等のための液体）あるいは洗顔液（例えば洗顔石けん液）を貯溜できるようになっている。この貯溜部１２は、ノズル本体１（の前側構成部材１Ａ）に一体的に形成されて、上方が開口されると共に、その底部が、前記弁筒部材２１の後端開口部に連なっている。つまり、貯溜部１２に貯溜された液体は、弁筒部材２１内（弁筒部材２１とニードル弁２２との間の隙間）を通って、弁筒部材２１の先端部つまりノズル部１１に導入されるようになっている。
【００２４】
ノズル部１１の開口面積（開度）の変更は、操作部１３を操作して、ニードル弁２２を前後方向に変位させることによって行われる。この操作部１３は、ノズル本体１（の前側構成部材１Ａ）にピン２６（図１参照）を中心に所定角度範囲だけ揺動可能に保持されて、例えば人差し指あるいや親指で前後方向に揺動操作されるようになっている。そして、操作部１３の中間部が、前記大径部２２ａの前端面に対して前方から当接可能とされている。操作部１３がその前方揺動端位置にあるときは、ニードル弁２２は、リターンスプリング３２によって前方ストローク端に位置されて、ノズル部１が閉状態（閉弁状態）とされる。この閉状態から、操作部１３を後方に向けて揺動操作することによって、大径部２２ａを介してニードル弁２２が後方へ変位されて開弁され、ニードル弁２２の後方への変位量が大きくなるにつれてノズル部１の開口面積が大きくされて、最終的に全開状態とされる。
【００２５】
前記エア接続部１４は、例えば可撓性チューブからなるエアパイプ４１を介して、エア圧発生源としてのエアポンプ４２に接続されている。エアポンプ４２は、それぞれ図示を略すが、例えば商用電源を動力源として駆動されるモータと、このモータによって駆動される例えばダイヤフラム式のポンプと、を有する。エアポンプ４２の電源スイッチ４２ａをＯＮ操作することによって、上記モータが駆動されて、上記ポンプが大気中のエアを吸い込んで加圧し、加圧されたエアが、エアパイプ４１を経てエア接続部１４に供給される。
【００２６】
エア接続部１４は、図２に示すように、ノズル本体１（の前側構成部材１Ａ）内に形成されたエア通路３５の一端に連なっている。そして、エア通路３５の他端は、ノズル部１の直下方において、ノズル本体１の前面にエア噴射口３５ａとして開口されている。エア通路３５に供給されたエア（加圧エア）は、エア噴射口３５ａから前方に向けて噴射されることになり、このときノズル部１が開弁されていると、ベンチュリ効果によって弁筒部材１１内の液体がノズル部１から吸引されてエアと共に前方へ噴射されることになる。ノズル部１の開口面積（開度）が大きいほど、噴射される液体量が増大されることになる。
【００２７】
ノズル本体１の先端部には、泡立てノズル５１または噴霧用ノズル６１が選択的に取付けられるようになっている。すなわち、ノズル本体１の先端部には、ノズル部１１の周囲において短い筒状の取付部１６が形成され、この取付部１６の外周に雄ねじ部１６ａが形成されている。そして、泡立てノズル５１および噴霧用ノズル６１の各後端部内面には、図３あるいは図４に示すように、上記雄ねじ部１６ａに螺合される雌ねじ部５１ａあるいは６１ａが形成されている。
【００２８】
泡立てノズル５１の詳細について、泡立てノズル５１をノズル本体１に装着した状態を示す図３を参照しつつ説明する。なお、図３では、貯溜部１２に洗顔液が貯溜されている。泡立てノズル５１は、複数（実施形態では２つ）の筒状のノズル構成部材５１Ａ、５１Ｂを直列にねじ結合することにより構成され、ねじ結合部分が符合α１で示される。泡立てノズル５１内には、細かい目を有する複数（実施形態では２つ）のフィルタ５２、５３が互いに間隔をあけて配設されている。各フィルタ５２、５３は、例えば円板状のポリエステルメッシュとされて、泡立てノズル５１の所定位置に固定されている。具体的には、フィルタ５２は、ノズル構成部材５１内面に形成された段部とスナップリング６０との間に挟持されている。フィルタ５３は、ノズル構成部材５１Ａと５１Ｂとの間に挟持されている。なお、フィルタ５２は例えばメッシュ１０５μ、フィルタ５３は例えばメッシュ２２７μとされている。
【００２９】
各フィルタ５２、５３によって、泡立てノズル５１内は、その基端側（ノズル本体１側）から順次、第１室５５，第２室５６，第３室５７の３つの室に区画されている。第１室５５は、ノズル部１１とエア噴射口３５ａとが臨まされて、ここでノズル部１１（貯溜部１２）からの洗顔液とエアとが混合される。洗顔液とエアとの混合物は、フィルタ５２、膨張室としての第２室５６，フィルタ５３，膨張室としての第３室５７を通って、泡立てノズル５１の先端からクリーム状となって吐出される。すなわち、細かい目を有するフィルタ５２を通過した直後に膨張室としての第２室５６でもって極めて細かい泡状つまりクリーム状とされ、このような作用を複数回経ることにより、泡立てノズル５１の先端からは極めてきめ細かい洗顔液のクリーム状物（図３，図５において符合Ｆで示される）が吐出されることになる。この場合、各室５５〜５７でもってエアの速度が減速されて、泡立てノズル５１から吐出される洗顔液のクリーム状物は、勢いよく前方へ飛び出すことなく、ゆっくりと広がるようにして吐出されることになる。操作部１３を操作してノズル部１の開度を大きくするほど、泡成物に含まれる洗顔液の量が増大されることになる。換言すれば、クリーム状の洗顔液の濃さ（つまりクリーム状洗顔液の保形性を示す硬さともなる）を、操作部１３の操作によって変更することが可能となる。
【００３０】
エアノズルＡを図５に示すように片方の手指で把持して、泡立てノズル５１の先端を顔面に近づけた状態で、顔面に沿ってエアノズルＡを移動させることによって、クリーム状の洗顔液が顔面全体に塗布されることになる。泡立てノズル５１から吐出された直後のクリーム状の洗顔液が直接顔面に塗布（付着）されることになる。この塗布に際して、クリーム状の洗顔液をこすったり押しつけたりする必要がないので、洗顔液の泡が潰れることなく、また顔面に均一に塗布することも可能となる。
【００３１】
泡立てノズル５１から吐出されるクリーム状の洗顔液を、一旦手のひらにとって、その後、手指によってクリーム状の洗顔液を顔面に塗布することもできる。この場合、洗顔液はクリーム状となっているので、手のひらから殆ど拡散することなく、厚いクリームの層のまま顔面に塗布することができるので、クリーム状洗顔液を顔面に塗布する際に、手指で直接顔面をこすってしまう事態が防止されることになり、また洗顔液のほぼ全量を無駄なく顔面に塗布することができる。
【００３２】
次に、噴霧用ノズル６１の詳細について、噴霧用ノズル６１をノズル本体１に装着した状態を示す図４を参照しつつ説明する。なお、図４では、貯溜部１２に化粧液が貯溜されている。噴霧用ノズル６１は、１つの部材によって形成されて、その基端部側は、先端に向かうにつれて徐々に径が小さくなり、最小径部分から先端側は同一径でもって伸びている。噴霧用ノズル６１の最小径部分には、隔壁部６２が形成されて、この隔壁部６２に小孔６２ａが開口されている。この小孔６２ａは、ニードル弁３２が進出可能とされていて、若干の絞り作用を奏するようになっている。
【００３３】
噴霧用ノズル６１を使用した場合は、ノズル部１１からの化粧液とエア噴射口３５ａからのエアとの混合物は、若干の広がりをもつ噴霧状として噴霧用ノズル６１から吐出されることになる。操作部１３を操作して、ノズル部１１の開度を大きくするほど、含まれる化粧液の割合が増大されることになる。
【００３４】
以上実施形態について説明したが、本考案は、実施形態に限定されるものではなく、実用新案登録請求の範囲の記載された範囲において適宜の変更が可能であり、例えば次のような場合をも含むものである。フィルタと膨張室の数は適宜設定できる（それぞれ１つのみあるいは３以上設ける等）。泡立てノズル５１のみを使用するものであってもよく、この場合泡立てノズル５１をノズル本体１に対して固定式とすることもできる（洗顔専用となる）。エアの圧力を、操作部１３あるいは操作部１３とは別個にノズル本体１に設けた別の操作部を操作することによって調整可能としてもよく、またエアポンプ２１にエアの圧力調整用スイッチを設けるようにしてもよい。ノズル部１の開口面積を一定としてもよく、この場合、例えばエア通路３５に設けた弁装置の開度を操作部１３を操作することによって変更するようにしてもよい。エア噴射口３５ａは、ノズル部１１の周囲に間隔をあけて複数設けるようにしてもよい。ノズル５１，６１をノズル本体１に着脱自在に取付ける場合、例えばワンタッチ継手を用いる等、ねじ結合以外の適宜の手法を採択することができる。勿論、本考案の目的は、明記されたものに限らず、実質的に好ましいあるいは利点として表現されたものを提供することをも暗黙的に含むものである。
【産業上の利用可能性】
【００３５】
本考案は洗顔用器具として化粧分野において利用できる。
【符号の説明】
【００３６】
Ｆ：洗顔液のクリーム状物
Ａ：エアノズル
１：ノズル本体
１１：ノズル部
１２：貯溜部
１３：操作部
１４：エア接続部
１６：取付部
２１：弁筒部材
２２：ニードル弁
２４：リターンスプリング
３５：エア通路
３５ａ：エア噴射口
４１：エアパイプ
４２：エアポンプ（エア圧発生源）
５１：泡立てノズル
５１ａ：雌ねじ部
５１Ａ、５１Ｂ：ノズル構成部材
５２、５３：フィルタ
５６〜５７：室（膨張室）
６１：噴霧用ノズル
【図１】
0003159019.tif 000003
【図２】
0003159019.tif 000004
【図３】
0003159019.tif 000005
【図４】
0003159019.tif 000006
【図５】
0003159019.tif 000007
【手続補正書】
【提出日】平成22年2月24日(2010.2.24)
【手続補正１】
【補正対象書類名】実用新案登録請求の範囲
【補正対象項目名】請求項７
【補正方法】変更
【補正の内容】
【請求項７】
請求項２において、
前記ノズル部は、弁筒部材と、該弁筒部材内に挿入された先細状のニードル弁と、を備えて、該ニードル弁の変位に応じて該ノズル部の開口面積が変更され、
前記ノズル本体内には、前記ノズル部が閉状態となるように前記ニードル弁を先端側に向けて付勢するスプリングが設けられ、
前記操作部は、前記スプリングに抗して前記ニードル弁を後退変位させることによって前記ノズル部の開口面積が大きくされる、
ことを特徴とするエアノズル。